(57)【要約】【課題】本発明は、散乱板のパターン間の連結部を可視化することなく、新たなデザイン態様を可能にする照明装置を提供することを目的とする。【解決手段】車両用照明装置は、光源１７と光投射方向で見て光源１７の前方に配置された散乱板１４とを有する。光源１７の光線１９は散乱板を透過し、その際、パターンをなして設けられた光学要素によって所定の特性で散乱させられる。散乱板１４の光学要素は交互に連続する散光波形パターン３０と集光波形パターン３２とからなる第１の波形構造を有する。散光波形パターン３０と集光波形パターン３０との間に屈曲のない連続的な連結が形成される。【選択図】図６
2009164126.tif 000002
【特許請求の範囲】
【請求項１】
少なくとも１つの光源（１７）と、光投射方向で見て前記光源（１７）の前方に配置された散乱板（１４）とを有し、前記光源（１７）の光線（１９）は前記散乱板（１４）を透過し、その際、パターンをなして設けられた前記散乱板（１４）の光学要素によって所定の特性で散乱させられるように構成した車両用照明装置であって、
前記散乱板（１４）の前記光学要素は交互に連続する散光波形パターン（３０）と集光波形パターン（３２）とからなる第１の波形構造を有し、前記散光波形パターン（３０）と前記集光波形パターン（３２）との間に屈曲のない連続的な連結が形成されていることを特徴とする照明装置。
【請求項２】
前記光学要素は交互に連続する散光および集光波形パターン（３０、３２）からなる第２の波形構造をさらに有し、前記第１の波形構造の前記波形パターン（３０、３２）の長手方向に延びる基準線（２６、２８）は前記第２の波形構造の基準線（２６、２８）に対して一定の角度をなして延びていることを特徴とする請求項1記載の照明装置。
【請求項３】
前記光学要素は、前記散乱板（１４）の、前記光源（１７）に対向する面（１６）と前記光源（１７）とは反対側の面（１８）の少なくとも一方に設けられていることを特徴とする請求項１または２記載の照明装置。
【請求項４】
前記光源（１７）は、前記光源（１７）の光線（１９）を所定の特性で前記散乱板（１４）の方向へ転送する反射体（１２）と光学系の少なくとも一方と連携することを特徴とする請求項１〜３のいずれか１項記載の照明装置。
【請求項５】
前記波形構造内部の前記基準線（２６、２８）は互いに平行、螺旋状または同心状に延びていることを特徴とする請求項１〜４のいずれか１項記載の照明装置。
【請求項６】
前記第１の波形構造の前記波形パターン（３０、３２）は、前記散乱板（１４）に対して垂直方向（Ｚ）に、第２の波形構造の前記波形パターン（３０、３２）よりも大きな延び（振幅）を有することを特徴とする請求項２記載の照明装置。
【請求項７】
前記散乱板（１４）上ないし前記散乱板（１４）内に、前記散乱板（１４）に対して屈曲した形の不連続的な連結部を有する別の光学要素（４０）が信号要素として取り付けられていることを特徴とする請求項１〜６のいずれか１項記載の照明装置。
【請求項８】
前記散乱板 （１４）は透明または着色半透明であることを特徴とする請求項１〜７のいずれか１項記載の照明装置。
【請求項９】
前記波形パターン（３０、３２）の基準線（２６、２８）に沿って、前記散乱板（１４）の垂直方向（Ｚ）に異なった延び（振幅）が設けられていることを特徴とする請求項１〜８のいずれか１項記載の照明装置。
【請求項１０】
一方の前記波形構造の前記集光波形パターンの振幅は同一の前記波形構造の前記散光波形パターンの振幅とは相違していることを特徴とする請求項１〜９のいずれか１項記載の照明装置。
【請求項１１】
一方の前記波形構造の前記集光および前記散光波形パターン（３０、３２）の波長は互いに相違していることを特徴とする請求項１〜１０のいずれか１項記載の照明装置。
【請求項１２】
前記第１の波形構造の波長は前記第２の波形構造の波長とは相違していることを特徴とする請求項１〜１１のいずれか１項記載の照明装置。
【請求項１３】
前記光源（１７）と前記散乱板（１４）との間に光導体が設けられていることを特徴とする請求項１〜１２のいずれか１項記載の照明装置。
【発明の詳細な説明】
【技術分野】
【０００１】
本発明は、少なくとも１光源と、光投射方向で見て前記光源の前方に配置された、封止板とも称される散乱板とを有し、前記光源の光は前記散乱板を透過し、その際、光学要素によって所定の特性で散乱させられるように構成した車両用照明装置に関する。
【背景技術】
【０００２】
車両用照明装置において、光学要素は少なくともパターンをなして設けられている。この種の自動車用照明装置は特に前照灯、また尾灯についても、従来の技術において多様なものが知られている。たとえば従来の技術において、自動車ランプの場合、反射体付き光源ならびに散乱板ないし封止板に設けられた屈折型散乱要素からなるコンビネーションが使用されることが多い。
【０００３】
上記の場合、光出口方向において前照灯のハウジングを封止する前照灯の光封止板が散乱板として機能し得る。
【０００４】
この場合、光屈折要素として、透明または半透明の散乱板の内側面したがって反射体に対向する面に設けられ、反射体によって散乱板の方向に方向転換された光を偏向して、測定スクリーンないし自動車前方または後方の走路に所望の光分布が生ずるようにするいわゆるクッション形光学系がしばしば使用される。
【０００５】
ここで、クッション形光学系とは、通例１または２方向に湾曲し、常に規則的（多くの場合は格子状）に配列された、曲面状の、多くの場合矩形の面状要素がそうしたものとして理解される。クッション形光学系の間には、一方のクッション形光学系から隣接したクッション形光学系への連結部に屈曲箇所が存在する。
【０００６】
一方のクッションと隣接したクッションとの間の連結部のこれら屈曲箇所には製造に起因して常に、光をあらゆる方向に分散させる一定の連結半径が付随しているため、これらの屈曲は常にあらゆる方向から明白に視認されるが、これは一部、前照灯では、様式要素としてかまたは視認性の点からして採用されている。一方のクッションから他方のクッションへのこれらの連結部は照明装置が消灯されていても、点灯されていても視認可能である。こうして多くの場合、クッション形光学系が格子状に配置されていれば、前記散乱板は格子網状光学系の姿を呈する。
【発明の開示】
【発明が解決しようとする課題】
【０００７】
上記の従来の技術から出発して、本発明の目的は、散乱板のパターン間の連結部を可視化することなく、新たなデザイン態様を可能にする照明装置を提供することである。
【課題を解決するための手段】
【０００８】
本発明は前記課題を、前記散乱板の前記光学要素が交互に連続する散光波形パターンと集光波形パターンとからなる第１の波形構造を有し、前記散光波形パターンと前記集光波形パターンとの間に屈曲のない連続的な連結が形成されている請求項１記載の照明装置によって達成する。したがって、前記連結は連続接線状であり、つまり、連続微分も可能である。
【０００９】
少なくとも１つの光源（ただし、複数の光源を含むことも可能である）を有し、かつ、透明な散乱板（無色透明板または着色半透明板として形成されていてよい）を含んだこの種の照明装置において、前記散乱板の表面は、第１の波形構造として交互に連続する散光波形パターンと集光波形パターンとが設けられて光の散乱が達成される。また、前記散光波形パターンと前記集光波形パターンとの間に屈曲のない連続的な連結が形成されるように成形される。つまり、これまで設けられていた、凸状または凹状に湾曲した従来のクッション表面（多くの場合、２つの方向に湾曲させられていた）は、前記散乱板において、２つの凹状波形パターンが１つの凸状波形パターンによって互いに結合される波形パターンによって代替される。こうして、前記散乱板を透過する光は、同所に設けられた、屈曲のない連続的に連結する前記波形パターンにより、所望の光分布が当該照明装置前方の測定スクリーンないし走路に生じて、前記照明装置を眺める人にとって視認可能であるように散乱させられる。
【００１０】
この場合、前記波形構造は、前記散乱板の散乱特性がさまざまな方向に制御可能であるように成形することが可能である。
【００１１】
特に、前記光学要素は前記第１の波形構造の他に、同じく交互に連続する散光波形パターンと集光波形パターンからなる第２の波形構造を有するように構成されていてよい。この場合、前記波形構造は集光または散光波形パターンにおいて当該パターンの長手方向に延びる基準線を有しており、前記波形パターンの最大振幅線に沿って延びる基準線が考察される。この場合、それぞれの波形パターンは、波の向きに合致する方向と、それに対して垂直な長手方向とを有している。前記波形パターンが長手方向に十分な延びを有している限り、それらは波状帯を形成する。その際、前記第１の波形構造の前記波形パターンの長手方向に延びる前記基準線は前記第２の波形構造の前記基準線と一定の角度をなして交差してよい。
【００１２】
波形構造の前記基準線ないし前記波形パターンは互いに平行をなして延びるように構成されていてよい。また、前記第１と前記第２の波形構造の前記基準線は９０°の角度で交わってよいが、ただし別の角度で交わるようになされていてもよい。さらに、当該照明装置の組付け状態において、前記第１の波形構造の前記基準線は水平線に対して０°または９０°の角度をなして延びていてよく、したがって、水平もしくは垂直に配置されていてよく、前記第２の波形構造の前記基準線はそれに対して直角に配置され、こうして碁盤面状のパターンが生ずるようになされていてよい。この場合、前記双方の波形構造は重畳している。この場合、それぞれの波形構造は前記基準線と同じ方向に延びる波状帯で構成されることができる。
【００１３】
この種の前記双方の波形構造に交わる基準線の交差角度が直角ではなく、特に組付け状態において前記基準線が水平にも垂直にも配置されていずむしろ、鉛直線ないし水平線に対して一定の角度をなして配置されており、こうして、歪んだ姿を呈する歪んだ構造も可能である。
【００１４】
この種の碁盤面状ないし格子状の配置の他に、特にクモの巣状または円環ないし車輪状に構成された半径方向配置も可能である。特に、前記第１と前記第２の波形構造の一方の前記基準線ないし前記波形パターンは同心円として配置されていてもよく、一般に螺旋状の配置も可能である。
【００１５】
また、この種の半径方向配置構造も任意に歪ませられていてよい。
【００１６】
この場合、前記第１と前記第２の波形構造の一方は前記散乱板の全面に及んでいるかまたは一部の領域たとえば前記散乱板の中央領域のみに配置されていてもよい。この場合、前記散乱板の異なった領域に異なった波形構造が設けられて、全体として総合的な光分布がつくり出されるように構成されていてもよい。
【００１７】
一般に、１つの方向に延びる波形パターンのみを設けることも可能であり、この場合、前記基準線は互いに平行もしくは一定の角度をなして延びていてよい。
【００１８】
特に、１つの方向たとえば水平方向または垂直方向に延びる波形パターン（この場合、たとえば水平方向に延びる波形パターンは光の垂直方向散乱をもたらす）だけが設けられている場合には、他の方向たとえば水平方向の散乱は光源と連携する反射体を介しまたはさらに別の光学要素たとえばＬＥＤの補助光学系を介しあるいは別法として光源に前置されかつ前記散乱板に後置されたさらに別の透過光学系によって行われるようになされていてよい。
【００１９】
この場合、前記光学要素したがって前記波形構造は前記散乱板の、光源に対向する面と光源とは反対側の面の一方に設けられていてよい。
【００２０】
したがって、たとえば前記第１の波形構造を前記散乱板の前記一方の面に設け、前記第２の波形構造を前記散乱板の前記他方の面に設けることも可能である。さらに、たとえば互いに平行に延びる基準線を有した波形構造が前記散乱板の一方の面に設けられ、たとえば互いに同心状に延びる基準線を有した波形構造が前記散乱板の第２の面に設けられているようにすることも可能である。
【００２１】
この場合さらに、特に好ましい実施態様において、一方の波形構造の前記波形パターンは横方向に、したがって前記散乱板に対して垂直方向に、前記他方の波形構造の前記波形パターンよりも大きな延びを有するように構成されていてよい。つまり、一方の波形構造の前記波形パターンは前記他方の波形構造の前記波形パターンよりも大きな振幅を有していてよい。さらに、前記振幅は１つの波形構造内でも、たとえば集光パターンと散光パターンの間で相違しているかまたは波形パターンの長さないし推移と相関して相違していてよい。この場合、前記振幅とは波の高さ、したがって、それぞれの箇所における散乱板の面に対して垂直な高さのことである。こうして、たとえば垂直方向および水平方向に延びる波形構造において、垂直方向に延びる波形パターンは水平方向に延びる波形パターンよりも顕著に形成されていてよく、この場合、たとえば波形パターンはそれぞれ帯状に形成されている。こうして、光線の水平方向偏向は垂直方向偏向よりも大きくなろう。一般に、代表的な振幅は０．１〜１０ｍｍの範囲内、好ましくは０．５〜５ｍｍ、特に１〜３ｍｍの範囲内にあってよい。好ましくは、２つの最大波高間の間隔は０．１〜２０ｍｍ、好ましくは１〜１０ｍｍである。
【００２２】
この場合、基本的に任意の波形構造コンビネーションが可能であり、したがって、たとえば線形波形構造と円環状波形構造をコンビネーションすることが可能である。
【００２３】
最後に、前記波形パターンの波長も１つの波形構造内においてたとえば集光波形パターンと散光波形パターンとの間で変化させ、あるいは前記波形構造間で変化させることも可能である。
【００２４】
この場合、前記散乱板は通例、透明または半透明のプラスチック材料から射出成形法によって製造される。さらに、屈曲のない連続的な波状表面の製造プロセスに際しては、上記の光技術的特性と並んで、製造上の問題が減少する。というのも、射出成形の場合には、流れプロセスのせいで、屈曲を設けることは多くの問題をもたらすからである。
【００２５】
特に好ましくは、さらになお、前記波形構造に加えて、前記散乱板に対して屈曲した形の不連続的な連結部を有して、信号要素として機能するように形成されたさらに別の光学要素が含まれるように構成されていてよい。本発明によれば、異なった散乱要素を結合するのに屈曲した形の不連続的な連結部が設けられることがないために、自由に形成された屈曲した形の不連続的な連結部を任意に使用して当該照明装置の信号効果を高めまたは特有なデザインを創成することが可能である。こうした屈曲した形の不連続によって前記散乱板に組み込まれもしくは前記散乱板から浮き上がるこの種の要素は、たとえば点滅灯の場合には矢印または三角形の形に配置されていてよく、その他の灯火の場合には別のシンボルを表すことができる。これらの形状は照明装置が点灯されていても消灯されていても前記屈曲した形の不連続的な連結部であらゆる方向に散乱させられる光によって際立つために、当該光学要素を備えた当該照明装置の信号効果をさらに向上させることができる。前記の付加的要素は前記散乱板からレリーフ状に浮出すかまたは前記散乱板中に沈められていてよく、あるいは前記要素の輪郭のみが線状にまたは前記散乱板上に設けられていてよい。
【００２６】
光源としては、従来のランプも、一般に補助光学系と組み合わされる発光ダイオードも共に可能である。またさらに、１または複数の光源を有し、出射によって所望の基本的な光分布をつくり出す光導体要素を前記光源と前記散乱板との間に中間配置することも可能である。
【００２７】
反射体としては放物面反射体が適切と考えられるが、フリーフォーム反射体ならびにその他の通例の反射体形状も可能である。
【００２８】
上述した本発明による方途により、照明装置にとって不可欠な散乱、特に、車幅灯または点滅灯または昼間走行灯ならびに制動灯または後退灯に不可欠な散乱をつくり出すことが可能であり、この場合、これらの灯火は表面に屈曲がなく、前記散乱板のあらゆる領域が所望の特性の創出に資すると共に互いに連携して所望の光分布を形成する。かくて屈曲のない表面は、それゆえ、スムーズと称することができる。こうして、新しい外観を呈する灯火を実現することが可能である。
【００２９】
最後に、上述した１種または２種の波形構造の他に、互いに重畳する３種またはそれ以上の波形構造を有した実施態様も可能である。
【００３０】
本発明のその他の利点ならびに特徴は下記説明ならびにその他の本願資料から判明する通りである。
【発明を実施するための最良の形態】
【００３１】
以下、図面を参照して、本発明を詳細に説明する。
【００３２】
図１は特に放物面反射体として形成されていてよい反射体１２の第１の焦点に配置された図中不図示の光源を含んだ従来の技術による照明装置の態様を示したものである。図中、反射体１２の焦点には座標系が表されており、ここでＺ軸は、反射体１２の焦点にポジショニングされた理想的な点光源を出発点とするかぎりで、いっさいの光線が互いに平行に投射される反射体の光投射方向に一致している。
【００３３】
さらに散乱板１４が設けられており、前記散乱板は散乱板１４の、光源に対向する面に多数のクッション形光学系を有している。この場合、散乱板１４の、光源とは反対側の面１８はスムーズに形成されている。クッション形光学系は、図２に符号２０で表された凹面状の窪みによって形成されている。前記凹面状の窪みはＺ方向に突き出して、凹面アーチは第１の屈曲箇所２２から第２の屈曲箇所２４まで延びており、これらの屈曲域２２、２４はＸ方向に連なっている。同様な屈曲域はＹ方向にも設けられているため、散乱板１４の内側面には、個々のクッション形光学系の屈曲箇所ないし連結箇所によって形成される市松模様状の光学系が明白に認められる。したがって、前記散乱板は碁盤面状に区分された姿を呈し、個々の碁盤目要素の中心は前記座標系において最大のＺ値に対応している。
【００３４】
こうして、個々のクッション形要素はそれらの形状からして、図３に示したような所望の形の光線偏向を生ずる。ただし、この場合、連結域における屈曲により光があらゆる方向に分散させられるため、この種の屈曲は常にあらゆる方向から明確に判別され、こうして、照明装置が点灯されていても消灯されていても市松模様線ははっきり認められることができることに注意しなければならない。ここで、図３は上方から見た相応した光分布の様子を示している。
【００３５】
図４は再度、反射体１２の焦点に点状光源１７が想定された場合の放物面反射体を示しており、これにより、理想状態において平行な光線１９がつくり出されるであろう。
【００３６】
ただし、こうしてつくり出された光分布は、付加的な水平方向および垂直方向散乱なしには、少なくとも±２０°ならびに±１０°の水平方向および垂直方向散乱幅という欧州規格に準拠した、たとえば点滅灯に関する灯火要件を満たさないであろう。前記の垂直方向および水平方向散乱幅は図５の測定スクリーンに表されている。
【００３７】
この場合、図５は点滅灯用の角度スクリーンにおける測定点の空間的分布を示している。
【００３８】
投射方向で見て光源と反射体の前方に取り付けられた、光学要素なしの、透明でパターン化されていない散乱板は、その後の光線方向にほとんど影響を及ぼさないであろう。つまり、光線は散乱板に入射したのとほぼ同様にして散乱板から出射してゆくであろう。それゆえ、本発明によれば従来と同じく、反射板に光学要素が設けられており、その際、これらの光学要素は、本発明により、集光ならびに散光波形パターンを有する波形構造体として設けられ、それぞれの波形パターンは長手方向に延びる基準線２６ないし２８を有している。
【００３９】
図６には本発明の第１の実施態様が示されており、図中、図１〜５の場合と同じ要素には同一の符号が付されている。この場合にも、反射体１２の第１の焦点には座標系が表されている。ただし、従来の技術とは異なり、散乱板１４はその内側面に、特に内側面が符号１６で表された図７から看取されるように、波形パターンを有し、これらのパターンは集光ならびに散光波形パターンとして設けられ、散乱板に交互に凸面および凹面として形成されて、波の形を想起させる凸状帯と凹状帯とが互いに平行に延びている。ここで、集光ならびに散光波形パターン−図中、凹状波形パターンは符号３０で、凸状波形パターンは符号３２で表されている−は板面方向において同一の長さに形成されていてよく、換言すれば、凹状波形パターン３０の波長と凸状波形パターン３２の波長とは同じ長さであってよい。ただし、凹状波形パターン３０と凸状波形パターン３２の波長を相異させることも可能である。さらに、振幅したがって凸状波形パターン３２と凹状波形パターン３０のそれぞれのＺ方向の延び（振幅）も同じ大きさであってよい。ただし一般に、この場合にも、凹状波形パターン３０と凸状波形パターン３２の振幅を相異させることも可能である。
【００４０】
この場合、組付け状態で示されている散乱板１４は、波が、波長方向ならびに基準線２６、２８で見て、水平方向に延びる波形構造と、それに対して横向きに、したがって垂直方向に延びる第２の波形構造とを有している。ここで、図６に示したように、垂直に延びる波形パターンは相対的に顕著に形成されていてよく、したがって、水平に延びる波形パターンよりも大きな振幅を有していてよい。これにより、水平方向の光の偏向は垂直方向よりも顕著なものになる。散乱板１４には、水平な波形構造の基準線と垂直な波形構造の基準線とが交差することにより、碁盤面状の構造が形成されるが、ただしこれは光学要素内ならびに光学要素間に不連続部分が存在しないためにスムーズな表面を呈する。
【００４１】
図８は当該照明装置を上方から眺めた図を示しており、同図から、散乱板１４を透過する投射光、したがって、反射体１２によって反射されたあらかじめ平行な光線１９が散乱する様子を見て取ることができる。図９はそれから結果する光分布を示しており、この光分布は点滅灯に求められる要件を十分な形で満たしている。
【００４２】
さて、図１０は本発明による散乱板のさらに別の実施態様を示している。この場合、散乱板１４の内側面１６には水平方向に延びる波形構造が設けられているだけであり、基準線２６、２８は水平に配置されている。この種の構造も十分な散乱特性を示すことができ、その際、図１０に示した波形構造はもっぱら垂直方向散乱をつくり出す。この場合、反射体１２は、反射体１２ないし反射体１２と散乱板との間に配置された図中不図示の透過光学系によってすでに十分な水平方向散乱が達成されるように、形成されていなければならない。ここで、ＬＥＤが使用される場合には、レンズ状に作用する適切に形成された補助光学系により、ＬＥＤと連携して、適切に予備散乱させられた光分布をつくり出すことができ、この光分布は次いで散乱板１４によってさらなる散乱に付される。別法として、波形構造はもっぱら垂直方向または、鉛直線または水平線に対して任意の角度で形成されていてもよい。
【００４３】
さて、図１１はさらに別途の実施態様を示しており、この場合、波形構造は線形の波形構造ではなく、互いに同心円として形成された波形パターンとなされている。この場合、凹状および凸状波形パターンの基準線２６、２８は互いに同心円状に周回して延びている。この場合、第１と第２の波形構造の基準線２６、２８の交差は生じない。ただし、波形パターンを適切に賦形することにより、この場合にも、光を水平方向にも垂直方向にも散乱させることが可能であり、たとえば、図１１に示したように円形構造であれば、適切な賦形を実現すること、つまり、水平断面における振幅をより大きく、垂直断面における振幅を相対的に小さく形成することが可能である。図中、垂直領域は符号３６で、水平領域は符号３８でそれぞれ表されており、その際、水平領域はＺ方向に著しく大きな振幅を有している。
【００４４】
図１２は、基準線２６、２８が交差して、互いに重畳する第１と第２の波形パターンを有する態様を示しており、この場合、基準線２６、２８の交差角度が直角ではないために、組付け状態において菱形状の構造を呈する。この種の歪んだ構造は散乱板の興味深い光学手段となり得る。
【００４５】
加えてさらに、２つの波形構造の波形パターンを相互に設けることにより所望の散乱を設定することができる。
【００４６】
図１３は、図６に示した実施態様と基本的に同じ実施態様の散乱板を示している。ただし、散乱板１４の外側面１８には矢印の形のさらに別の光学要素４０が設けられており、前記光学要素は散乱板１４に対して屈曲した形の不連続的な連結部を有し、これにより、前記屈曲が光をあらゆる方向に散乱させて特によく見えるために、前記光学要素は点灯状態でも消灯状態でも特に優れた可視性と共に信号効果を有する。したがって、この種の矢印構造は点滅灯を改善して、その信号効果を向上させることができる。
【００４７】
最後に図１４ａ〜１４ｃは、散乱板１４の内側面１６に、図１１に示した構造を形成する互いに同心配置された波形パターンからなる第１の波形構造が設けられていると共に、散乱板１４の外側面１８に、互いに平行に延びる波形パターンからなる図１０に示した構造が設けられ、この第２の波形構造は水平方向に延びる基準線２６、２８を有するように構成した実施態様を示している。こうして、これら２つの構造は散乱板１４において重なり合い、協働して散乱板の散乱特性をつくり出す。この場合、外側面１８の波形構造は基準線の全長にわたって、ただしまた前記基準線に対して横方向にも、同一の振幅を有する波形パターンを有している。つまり、散乱板の外側面１８のすべての波形パターンは同一の振幅を有している。他方、散乱板の内側面１６にあっては、前記振幅は波形パターンの同心リングの全周にわたって互いに相異していてよい。
【００４８】
上述した方途により、不連続部分が存在しないために観察者にとってスムーズな表面を形成すると共に、場合により前記表面に、散乱板から不連続的にくっきり浮かび上がるさらに別な光学要素を設けることのできる散乱板を特に容易につくり出すことが可能である。
【図面の簡単な説明】
【００４９】
【図１】従来の技術による態様を示す図である。
【図２】従来の技術による態様を示す図である。
【図３】従来の技術による態様を示す図である。
【図４】放物面反射体を示す図である。
【図５】光分布測定スクリーンを示す図である。
【図６】本発明による実施態様を示す図である。
【図７】図６に示した散乱板の断面図である。
【図８】点灯状態における図６に示した照明装置を示す図である。
【図９】図８に示した灯火による測定スクリーン上の光分布を示す図である。
【図１０】別途実施態様の散乱板を示す図である。
【図１１】その他の実施態様の散乱板を示す図である。
【図１２】その他の実施態様の散乱板を示す図である。
【図１３】その他の実施態様の散乱板を示す図である。
【図１４ａ】その他の実施態様の散乱板を示す図である。
【図１４ｂ】その他の実施態様の散乱板を示す図である。
【図１４ｃ】その他の実施態様の散乱板を示す図である。
【図１】
2009164126.tif 000003
【図２】
2009164126.tif 000004
【図３】
2009164126.tif 000005
【図４】
2009164126.tif 000006
【図５】
2009164126.tif 000007
【図６】
2009164126.tif 000008
【図７】
2009164126.tif 000009
【図８】
2009164126.tif 000010
【図９】
2009164126.tif 000011
【図１０】
2009164126.tif 000012
【図１１】
2009164126.tif 000013
【図１２】
2009164126.tif 000014
【図１３】
2009164126.tif 000015
【図１４ａ】
2009164126.tif 000016
【図１４ｂ】
2009164126.tif 000017
【図１４ｃ】
2009164126.tif 000018